(57)【要約】      （修正有）【課題】比較的簡単な構造で画像の輝度ムラを抑制できるスクリーンを提供する。【解決手段】スクリーン１１は、画像が投射される被投影面を有するスクリーン本体１１２と、スクリーン本体を支持する支持部材１１３と、スクリーン本体と支持部材とを連結する連結部１１４と、を備え、連結部は、スクリーン本体の一方側から他方側に向けて放射状に延びる複数の仮想線に沿った位置に設けられている。【選択図】図１
2019101228.tif 000002
【特許請求の範囲】
【請求項１】
画像が投射される被投影面を有するスクリーン本体と、
前記スクリーン本体を支持する支持部材と、
前記スクリーン本体と前記支持部材とを連結する連結部と、を備え、
前記連結部は、前記スクリーン本体の一方側から他方側に向けて放射状に延びる複数の仮想線に沿った位置に設けられている、スクリーン。
【請求項２】
前記支持部材は、前記スクリーン本体の周縁部に沿って設けられたフレームを備え、
前記連結部は、前記フレームにおいて、前記複数の仮想線の各々と前記スクリーン本体の縁とが交差する位置に設けられている、請求項１に記載のスクリーン。
【請求項３】
前記連結部は、前記スクリーン本体に対して前記被投影面に平行な方向に張力を付与する弾性部材を備えた、請求項２に記載のスクリーン。
【請求項４】
前記連結部は、各々が前記複数の仮想線の各々に沿って延び、各々が前記スクリーン本体に連結された複数の骨部材を備えた、請求項１に記載のスクリーン。
【請求項５】
前記複数の骨部材は、一端側が互いに連結されるとともに、他端側が開閉可能とされた、請求項４に記載のスクリーン。
【請求項６】
前記連結部は、前記スクリーン本体の一方側から他方側に向けて放射状に延びる複数の仮想線に沿った位置に設けられた複数の連結部材からなる第１の連結部材群と、前記第１の連結部材群に隣り合う位置に設けられ、前記スクリーン本体の前記他方側から前記一方側に向けて放射状に延びる複数の仮想線に沿った位置に設けられた複数の連結部材からなる第２の連結部材群と、を備えた、請求項１に記載のスクリーン。
【請求項７】
前記スクリーン本体が前記支持部材に対して着脱可能とされた、請求項１に記載のスクリーン。
【請求項８】
前記スクリーン本体が収納可能とされた、請求項１に記載のスクリーン。
【請求項９】
請求項１に記載のスクリーンと、
前記スクリーンに画像を投射するプロジェクターと、を備えた、プロジェクションシステム。
【請求項１０】
前記プロジェクターが短焦点プロジェクターである、請求項９に記載のプロジェクションシステム。
【発明の詳細な説明】
【技術分野】
【０００１】
本発明は、スクリーンおよびプロジェクションシステムに関する。
【背景技術】
【０００２】
プロジェクターからの画像を投影するスクリーンにおいて、スクリーン本体と、フレームなどの支持部材と、を備えたスクリーンが従来から知られている。例えば下記の特許文献１には、スクリーン本体と、上部フレームと、下部フレームと、上下方向に延びる左右１対の紐状部材と、紐状部材に対して上下方向への張力を作用させることにより、連結部材を介してスクリーン本体に対して左右方向への張力を付与する張力付与部材と、を備えたスクリーンが開示されている。
【先行技術文献】
【特許文献】
【０００３】
【特許文献１】特開２０１２−２２０２９号公報
【発明の概要】
【発明が解決しようとする課題】
【０００４】
上記の特許文献１には、このスクリーンによれば、上下方向および左右方向への張力を適正に調整してスクリーン本体の平面度を高めることにより、スクリーン本体の皺や弛みを容易に除去できる、と記載されている。しかしながら、このスクリーンにおいては、構造が複雑であることに加え、上下方向および左右方向への張力を精密に調節する必要があるため、設置に時間や手間が掛かる。また、皺が入る方向を制御することは困難であり、光の入射方向に垂直な方向に延びる皺が発生することがある。その場合、画像の輝度ムラが発生し、画像品位が低下する、という問題がある。
【０００５】
本発明の一つの態様は、上記の課題を解決するためになされたものであって、比較的簡単な構造で画像の輝度ムラを抑制することができるスクリーンを提供することを目的の一つとする。また、上記のスクリーンを備えることで画像品位に優れたプロジェクションシステムを提供することを目的の一つとする。
【課題を解決するための手段】
【０００６】
上記の目的を達成するために、本発明の一つの態様のスクリーンは、画像が投射される被投影面を有するスクリーン本体と、前記スクリーン本体を支持する支持部材と、前記スクリーン本体と前記支持部材とを連結する連結部と、を備え、前記連結部は、前記スクリーン本体の一方側から他方側に向けて放射状に延びる複数の仮想線に沿った位置に設けられている。
【０００７】
本発明の一つの態様のスクリーンにおいて、前記支持部材は、前記スクリーン本体の周縁部に沿って設けられたフレームを備えていてもよく、前記連結部は、前記フレームにおいて、前記複数の仮想線の各々と前記スクリーン本体の縁とが交差する位置に設けられていてもよい。
【０００８】
本発明の一つの態様のスクリーンにおいて、前記連結部は、前記スクリーン本体に対して前記被投影面に平行な方向に張力を付与する弾性部材を備えていてもよい。
【０００９】
本発明の一つの態様のスクリーンにおいて、前記連結部は、各々が前記複数の仮想線の各々に沿って延び、各々が前記スクリーン本体に連結された複数の骨部材を備えていてもよい。
【００１０】
本発明の一つの態様のスクリーンにおいて、前記複数の骨部材は、一端側が互いに連結されるとともに、他端側が開閉可能とされていてもよい。
【００１１】
本発明の一つの態様のスクリーンにおいて、前記連結部は、前記スクリーン本体の一方側から他方側に向けて放射状に延びる複数の仮想線に沿った位置に設けられた複数の連結部材からなる第１の連結部材群と、前記第１の連結部材群に隣り合う位置に設けられ、前記スクリーン本体の前記他方側から前記一方側に向けて放射状に延びる複数の仮想線に沿った位置に設けられた複数の連結部材からなる第２の連結部材群と、を備えていてもよい。
【００１２】
本発明の一つの態様のスクリーンにおいて、前記スクリーン本体は、前記支持部材に対して着脱可能とされていてもよい。
【００１３】
本発明の一つの態様のスクリーンにおいて、前記スクリーン本体が収納可能とされていてもよい。
【００１４】
本発明の一つの態様のプロジェクションシステムは、本発明の一つの態様のスクリーンと、前記スクリーンに画像を投射するプロジェクターと、を備える。
【００１５】
本発明の一つの態様のプロジェクションシステムにおいて、前記プロジェクターは短焦点プロジェクターであってもよい。
【発明の効果】
【００１６】
本発明の一つの態様によれば、比較的簡単な構造で画像の輝度ムラを抑制できるスクリーンを提供することができる。また、本発明の他の一つの態様によれば、画像品位に優れたプロジェクションシステムを提供することができる。
【図面の簡単な説明】
【００１７】
【図１】第１実施形態のプロジェクションシステムの正面図である。
【図２】連結部の正面図である。
【図３Ａ】縦皺が発生した場合の第１実施例のスクリーン上の輝度分布を示す図である。
【図３Ｂ】縦皺が発生した場合の第２実施例のスクリーン上の輝度分布を示す図である。
【図３Ｃ】縦皺が発生した場合の第３実施例のスクリーン上の輝度分布を示す図である。
【図４Ａ】横皺が発生した場合の第１実施例のスクリーン上の輝度分布を示す図である。
【図４Ｂ】横皺が発生した場合の第２実施例のスクリーン上の輝度分布を示す図である。
【図４Ｃ】横皺が発生した場合の第３実施例のスクリーン上の輝度分布を示す図である。
【図５】ランバート散乱を生じた光の様子を示す模式図である。
【図６】スペキュラー方向を中心とした散乱を生じた光の様子を示す模式図である。
【図７】第２実施形態のプロジェクションシステムの正面図である。
【図８】図７のVIII−VIII線に沿ったスクリーンの断面図である。
【図９】第３実施形態のプロジェクションシステムの正面図である。
【図１０】第４実施形態のスクリーンの正面図である。
【図１１】第５実施形態のスクリーンの正面図である。
【図１２】第５実施形態の変形例のスクリーンの正面図である。
【図１３】第６実施形態のプロジェクションシステムの正面図である。
【図１４】第７実施形態のプロジェクションシステムの正面図である。
【図１５】従来のスクリーンの問題点を説明するための図である。
【図１６】図１５のスクリーンによる輝度ムラを示す図である。
【発明を実施するための形態】
【００１８】
［第１実施形態］
以下、本発明の第１実施形態について、図１〜図６を用いて説明する。
図１は、第１実施形態のプロジェクションシステムの正面図である。
なお、以下の各図面においては各構成要素を見やすくするため、構成要素によって寸法の縮尺を異ならせて示すことがある。
【００１９】
図１に示すように、本実施形態のプロジェクションシステム１０は、スクリーン１１と、スクリーン１１に画像を投射するプロジェクター１２と、を備えている。プロジェクター１２は、短焦点プロジェクターであり、スクリーン１１の被投影面を含む垂直面（仮想面）から例えば数十ｃｍ程度離れた、スクリーン１１の下方の位置に設置されている。
【００２０】
スクリーン１１は、スクリーン本体１１２と、スクリーン本体１１２を支持するフレーム１１３（支持部材）と、スクリーン本体１１２とフレーム１１３とを連結する複数の連結部１１４と、を備えている。
【００２１】
スクリーン本体１１２は、例えば樹脂、布等の材料から構成されており、プロジェクター１２からの画像が投射される被投影面を有する。スクリーン本体１１２の形状は、横長の長方形である。
【００２２】
フレーム１１３は、スクリーン本体１１２の周縁部に沿って設けられた枠部１１３ｗと、枠部１１３ｗの下辺の両端から下方に延びる脚部１１３ｒと、を備えている。フレーム１１３は、例えば樹脂、金属等の材料から構成されている。
【００２３】
複数の連結部１１４は、スクリーン本体１１２の下側（一方側）から上側（他方側）に向けて放射状に延びる複数の仮想線ｋに沿った位置に設けられている。さらに、連結部１１４は、フレーム１１３において、複数の仮想線ｋの各々とスクリーン本体１１２の縁とが交差する位置に設けられている。換言すると、複数の連結部１１４のうち、スクリーン本体１１２の下辺側に位置する複数の連結部１１４は、中央寄りに密集して配置され、スクリーン本体１１２の上辺側に位置する複数の連結部１１４は、右上および左上の角部に近い側ほど、広い間隔で配置されている。したがって、複数の連結部１１４は、回転対称の位置には配置されていない。
【００２４】
放射状に延びる複数の仮想線ｋの始点は、プロジェクター１２の光射出口である投射レンズ１２２に位置している。したがって、プロジェクター１２の標準的な設置位置が決まれば、複数の仮想線ｋの始点の位置も決まる。隣り合う仮想線ｋの間隔は、特に限定されることなく、適宜設定されていればよい。
【００２５】
本明細書において、「放射状に延びる複数の仮想線ｋ」は、複数の仮想線ｋの始点がスクリーン本体１１２の外側に位置していること、投射レンズ１２２が有限の大きさを有していることから、複数の仮想線ｋの始点は必ずしも１点で交わっていなくてもよく、有限の大きさを有する領域に集まっていればよいこと、を含む概念である。
【００２６】
図２は、図１の符号Ａの部分の拡大図であって、連結部１１４の正面図である。
図２に示すように、連結部１１４は、フレーム１１３に設けられた複数の第１固定部１１５と、スクリーン本体１１２に設けられた複数の第２固定部１１６と、第１固定部１１５と第２固定部１１６との間に設けられた弾性部材１１７と、を備えている。弾性部材１１７は、スクリーン本体１１２に対して被投影面に平行な方向に張力を付与する。本実施形態では、弾性部材１１７としてバネが用いられている。ただし、弾性部材１１７として、ゴム等からなる弾性体が用いられてもよい。
【００２７】
複数の第１固定部１１５は、フレーム１１３の縁に沿って所定の間隔をおいて設けられ、弾性部材１１７の一端をフレーム１１３に固定する。同様に、複数の第２固定部１１６は、スクリーン本体１１２の縁に沿って所定の間隔をおいて設けられ、弾性部材１１７の他端をスクリーン本体１１２に固定する。各第１固定部１１５および各第２固定部１１６は、弾性部材１１７の一端もしくは他端が固定できるものであれば、特に形態は問わず、例えば弾性部材１１７の一端もしくは他端と係合できる突起、孔等が用いられる。図２の例では、３個の第１固定部１１５と３個の第２固定部１１６とが設けられているが、第１固定部１１５と第２固定部１１６の数は、特に限定されない。
【００２８】
この例では、弾性部材１１７の一端は、３個の第１固定部１１５のうちの中央の第１固定部１１５に固定され、弾性部材１１７の他端は、３個の第２固定部１１６のうちの中央の第２固定部１１６に固定されている。弾性部材１１７は、両端がこのように固定されることにより、仮想線ｋに沿って配置される。図２では、図１の符号Ａの連結部１１４を示したが、他の連結部１１４も同様の構成を有している。
【００２９】
各連結部１１４に設けられた弾性部材１１７は、スクリーン本体１１２の被投影面に平行な面内において、スクリーン本体１１２の縁を外側（フレーム１１３の側）に引っ張る方向（図１の矢印Ｔの方向）に張力を付与する。これにより、スクリーン本体１１２には、スクリーン本体１１２の下辺の中央付近から上辺側、右辺側および左辺側に向けて広がるように、張力が放射状に発生する。
【００３０】
実際には、各連結部１１４の弾性部材１１７の張力のバラツキ、各連結部１１４の位置のバラツキ等の要因によって、仮想線ｋに沿って張力が生じるかどうかが不確定な場合も考えられる。しかしながら、例えば弾性部材１１７の張力のバラツキや連結部１１４の位置のバラツキが多少あったとしても、複数の連結部１１４が放射状に配置されたことによって、全体的に考えれば、張力は概ね放射状に発生すると考えて差し支えない。
【００３１】
ここで、従来のスクリーンの問題点について説明する。
図１５は、従来のスクリーン９１の問題点を説明するための図である。図１６は、図１５のスクリーン９１による輝度ムラを示す図である。
例えばスクリーン９１に対して短焦点プロジェクターから画像を投影する場合、図１５に示すように、通常のプロジェクターから画像を投影する場合に比べて、大きな入射角でスクリーン本体９１２の斜め下方から光Ｌが入射する。
【００３２】
従来のスクリーン９１においては、スクリーン本体９１２に横方向に延びる皺Ｓが生じる場合がある。例えば上述の特許文献１のスクリーンにおいても、スクリーン本体が連結部材によって左右方向に引っ張られるため、横方向に延びる皺が生じる場合が十分に考えられる。一般的に、樹脂、布等の伸縮性を有する素材からなるスクリーンでは、張力が加わった方向と平行に皺が生じるためである。このとき、スクリーン本体９１２の斜め下方から光Ｌが入射すると、皺Ｓの上側に影（符号Ｇの領域）が生じる。
【００３３】
この場合、図１６に示すように、スクリーン９１の一部に、横縞状に輝度の低い領域Ｇ１ができ、表示品位を低下させる。
【００３４】
ここで、本発明者らは、光の進行方向に対して交差する方向に延びる皺が生じた場合に影が発生するのに対し、光の進行方向に平行な方向に延びる皺が生じた場合には影が目立ちにくくなることに着目した。そこで、本発明者らは、スクリーン本体の平坦度が十分に高く、皺が発生していない場合には問題とはならないが、スクリーン本体の平坦度を高めようとして張力を掛けた結果、若干の皺が発生するのであれば、光の進行方向に交差する皺ではなく、光の進行方向に略平行な皺が発生するように皺の発生方向を制御すればよい、と考えた。
【００３５】
本実施形態のスクリーン１１によれば、上述したように、各々が弾性部材１１７を備えた複数の連結部１１４が放射状に延びる複数の仮想線ｋに沿った位置に設けられたことにより、スクリーン本体１１２には、スクリーン本体１１２の下辺中央付近から上辺側、右辺側および左辺側に向けて広がるように、張力が放射状に発生する。その結果、図１に示すように、スクリーン本体１１２に多少の皺が生じるとしても、スクリーン本体１１２の横方向に延びる皺は生じにくく、放射状に延びる皺Ｓ１が生じやすい。その結果、プロジェクター１２からの光Ｌの進行方向と皺Ｓ１の方向とを略一致させることができるため、影が目立ちにくく、画像の輝度ムラを抑制することができる。また、スクリーン１１の構成が簡単であり、使用者が調整を行う箇所がないため、スクリーン１１の設置を容易に行うことができる。
【００３６】
また、本実施形態のスクリーン１１は、短焦点プロジェクターと組み合わせて用いられ、スクリーン１１に対するプロジェクター１２の位置が略固定されていることを前提としている。それでも、スクリーン１１に対するプロジェクター１２の位置が多少変わることも考えられ、その場合に光Ｌの進行方向が変わることがある。これに対して、本実施形態のスクリーン１１は、弾性部材１１７の両端を固定する複数の第１固定部１１５と複数の第２固定部１１６とを備えているため、光Ｌの進行方向の変化に対応して、弾性部材１１７の向きを微調整することができる。
【００３７】
また、本実施形態のプロジェクションシステム１０は、上記のスクリーン１１を備えたことにより、画像品位に優れる。
【００３８】
また、本発明者らは、本実施形態のスクリーン本体１１２の散乱特性について、シミュレーションにより検討した。
スクリーン本体に光を照射した際に生じる散乱光に含まれるランバート散乱成分とスペキュラー方向を中心とした散乱成分との含有比率を変えた３種類のスクリーンを想定した。
【００３９】
ランバート散乱では、図５に示すように、入射光Ｌの入射角によらずに、あらゆる方向に一様な輝度で散乱を生じる。このときの散乱光ＬＲ１をランバート散乱成分と称する。
スペキュラー方向を中心とした散乱では、図６に示すように、入射光Ｌに対する鏡面反射方向を中心として輝度分布が広がるように散乱を生じる。また、散乱方向は、入射角に依存する。このときの散乱光ＬＲ２を、スペキュラー方向を中心とした散乱成分と称する。
【００４０】
具体的には、全散乱光のうち、ランバート散乱成分ＬＲ１が１００％を占める散乱特性を示すスクリーンを第１実施例のスクリーンとした。
全散乱光のうち、ランバート散乱成分ＬＲ１が５０％を占め、スペキュラー方向を中心とした散乱成分ＬＲ２が５０％を占める散乱特性を示すスクリーンを第２実施例のスクリーンとした。
全散乱光のうち、ランバート散乱成分ＬＲ１が１０％を占め、スペキュラー方向を中心とした散乱成分ＬＲ２が９０％を占める散乱特性を示すスクリーンを第３実施例のスクリーンとした。
【００４１】
図３Ａ〜図３Ｃは、第１〜第３実施例のスクリーンのそれぞれに縦皺を発生させた場合のスクリーン上の輝度分布を示す図であり、図３Ａは第１実施例のスクリーンによる照度ムラのシミュレーション結果を示し、図３Ｂは第２実施例のスクリーンによる照度ムラのシミュレーション結果を示し、図３Ｃは第３実施例のスクリーンによる照度ムラのシミュレーション結果を示す。
図４Ａ〜図４Ｃは、第１〜第３実施例のスクリーンのそれぞれに横皺を発生させた場合のスクリーン上の輝度分布を示す図であり、図４Ａは第１実施例のスクリーンによる照度ムラのシミュレーション結果を示し、図４Ｂは第２実施例のスクリーンによる照度ムラのシミュレーション結果を示し、図４Ｃは第３実施例のスクリーンによる照度ムラのシミュレーション結果を示す。
【００４２】
シミュレーションにおいては、光の進行方向と皺の方向との関係と照度ムラとの相関を明確にするため、光の進行方向を、各図における縦方向とした。また、各図において、黒く見える領域は相対的に輝度が低い領域に対応し、白く見える領域は相対的に輝度が高い領域に対応する。
【００４３】
図４Ａ〜図４Ｃに示すように、光の進行方向と皺の方向とが直交する場合には明確な縞状の輝度ムラが発生するのに対し、図３Ａ〜図３Ｃに示すように、光の進行方向と皺の方向とが一致する場合には縞状の輝度ムラが目立ちにくくなることが判った。また、光の進行方向と皺の方向とが一致していても、図３Ａに示すように、ランバート散乱成分ＬＲ１が１００％である場合には輝度ムラはほとんど発生しないのに対し、図３Ｂ、図３Ｃに示すように、ランバート散乱成分ＬＲ１が少なく、スペキュラー方向を中心とした散乱成分ＬＲ２が多くなると、多少の輝度ムラが発生することが判った。
【００４４】
以上のシミュレーションの結果から、光Ｌの進行方向とスクリーン本体１１２の皺の方向とを一致させることにより輝度ムラが低減できることが確認された。さらに、スクリーン本体１１２の散乱特性は、ランバート散乱成分ＬＲ１が相対的に多く、スペキュラー方向を中心とした散乱成分ＬＲ２が相対的に少ないことが望ましいことが判った。
【００４５】
［第２実施形態］
以下、第２実施形態のプロジェクションシステムについて、図７〜図８を用いて説明する。
第２実施形態のプロジェクションシステムの基本構成は第１実施形態と同一であり、スクリーンの連結部の構成が第１実施形態と異なる。
図７は、第２実施形態のプロジェクションシステムの正面図である。図８は、図７のVIII−VIII線に沿ったスクリーンの断面図である。
図７〜図８において、第１実施形態で用いた図面と共通の構成要素には同一の符号を付し、説明を省略する。
【００４６】
図７に示すように、本実施形態のプロジェクションシステム１４は、スクリーン１５と、プロジェクター１２と、を備えている。スクリーン１５は、スクリーン本体１５２と、フレーム１５３（支持部材）と、複数の連結部１５４と、を備えている。フレーム１５３は、枠部１５３ｗと、脚部１５３ｒと、を備えている。
【００４７】
スクリーン本体１５２は、正面から見て、スクリーン本体１５２の周縁部がフレーム１５３の枠部１５３ｗの幅方向の一部と重なるように形成されている。複数の連結部１５４は、スクリーン本体１５２の下側（一方側）から上側（他方側）に向けて放射状に延びる複数の仮想線ｋに沿った位置に設けられている。さらに、連結部１５４は、スクリーン本体１５２と枠部１５３ｗとの重なり部分において、複数の仮想線ｋの各々とスクリーン本体１５２の周縁部とが交差する位置に設けられている。
【００４８】
本実施形態では、図８に示すように、連結部１５４として、面ファスナー１５５が用いられている。面ファスナー１５５は、第１テープ部材１５６と、第２テープ部材１５７と、を備えている。スクリーン本体１５２の裏面に第１テープ部材１５６が設けられ、フレーム１５３の表面に第２テープ部材１５７が設けられている。第１テープ部材１５６と第２テープ部材１５７とが係合することにより、スクリーン本体１５２とフレーム１５３とが連結されている。なお、連結部１５４として、面ファスナー１５５の他、フック、ボタン、磁石等を用いることもできる。
【００４９】
本実施形態の場合、連結部１５４に用いられている面ファスナー１５５は、第１実施形態のような弾性部材ではないため、スクリーン本体１５２に対して積極的に張力を付与するものではない。ただし、本実施形態の場合も、複数の連結部１５４が放射状に延びる複数の仮想線ｋに沿った位置に設けられたことにより、第１実施形態と同様、横方向に延びる皺は生じにくく、放射状に延びる皺Ｓ１が生じやすい。
【００５０】
本実施形態においても、比較的簡単な構造で画像の輝度ムラを抑制できるスクリーン１５を提供できる、画像品位に優れたプロジェクションシステム１４を提供できる、といった第１実施形態と同様の効果が得られる。
【００５１】
［第３実施形態］
以下、第３実施形態のプロジェクションシステムについて、図９を用いて説明する。
第３実施形態のプロジェクションシステムの基本構成は第１実施形態と同一であり、スクリーンの構成が第１実施形態と異なる。
図９は、第３実施形態のプロジェクションシステムの正面図である。
図９において、第１実施形態で用いた図面と共通の構成要素には同一の符号を付し、説明を省略する。
【００５２】
図９に示すように、本実施形態のプロジェクションシステム１７は、スクリーン１８と、プロジェクター１２と、を備えている。スクリーン１８は、スクリーン本体１８２と、脚部１８３（支持部材）と、連結部１８４と、を備えている。連結部１８４は、各々が複数の仮想線ｋの各々に沿って延び、各々がスクリーン本体１８２に連結された複数の骨部材１８５を備えている。
【００５３】
複数の骨部材１８５は、一端側が互いに連結され、他端側が放射状に開いた形状に配置されている。骨部材１８５の連結された側の一端は、プロジェクター１２の投射レンズ１２２の近傍に位置することが望ましい。複数の骨部材１８５のうち、中央の骨部材１８５を除く、斜め方向に延びる骨部材１８５の他端は、脚部１８３に固定されている。各骨部材１８５は、スクリーン本体１８２の外側にはみ出して配置されていてもよいし、スクリーン本体１８２の内側に収まるように配置されていてもよい。
【００５４】
複数の骨部材１８５の各々は、棒状の部材で構成されている。骨部材１８５とスクリーン本体１８２の固定手段は、例えば面ファスナー、接着剤等を用いることができ、特に限定されない。図９では、５本の骨部材１８５が設けられた例を挙げたが、骨部材１８５の数は特に限定されない。また、骨部材１８５の間隔についても特に限定されない。
【００５５】
本実施形態の場合、複数の骨部材１８５が放射状に延びる複数の仮想線ｋに沿った位置に設けられたことにより、横方向に延びる皺は生じにくく、放射状に延びる皺Ｓ１が生じやすい。
【００５６】
本実施形態においても、比較的簡単な構造で画像の輝度ムラを抑制できるスクリーン１８を提供できる、画像品位に優れたプロジェクションシステム１７を提供できる、といった第１実施形態と同様の効果が得られる。
【００５７】
［第４実施形態］
以下、第４実施形態のスクリーンについて、図１０を用いて説明する。
第４実施形態のスクリーンの基本構成は、第３実施形態のスクリーンと略同様である。
図１０は、第４実施形態のスクリーンを分解した状態を示す正面図である。
図１０において、第１実施形態で用いた図面と共通の構成要素には同一の符号を付し、説明を省略する。
【００５８】
図１０に示すように、本実施形態のスクリーン２０は、スクリーン本体２０２と、フレーム２０３（支持部材）と、連結部２０４と、を備えている。連結部２０４は、各々が放射状に延びる複数の仮想線ｋの各々に沿って延び、各々がスクリーン本体２０２に連結された複数の骨部材２０５を備えている。
【００５９】
スクリーン本体２０２は、フレーム２０３に対して着脱可能とされている。スクリーン本体２０２をフレーム２０３に対して着脱可能とするための構成としては、スクリーン本体２０２とフレーム２０３とが例えば面ファスナー、フック、ボタン、磁石等を用いて連結された構成を挙げることができる。もしくは、スクリーン本体２０２の裏面に設けられた取り付け部にフレーム２０３を挿入する、等の方法であってもよい。
【００６０】
複数の骨部材２０５は、一端側から他端側に向けて放射状に開いた形状に配置されている。本実施形態では、複数の骨部材２０５の一端側は互いに連結されていないが、互いに連結されていてもよい。
【００６１】
本実施形態においても、比較的簡単な構造で画像の輝度ムラを抑制できるスクリーン２０を提供できる、画像品位に優れたプロジェクションシステムを提供できる、といった第１実施形態と同様の効果が得られる。
【００６２】
本実施形態の場合、スクリーン本体２０２がフレーム２０３に対して着脱可能とされているため、例えばプロジェクションシステムの使用状況に応じてスクリーン本体２０２を交換する必要が生じた場合、交換作業を容易に行うことができる。
【００６３】
［第５実施形態］
以下、第５実施形態のスクリーンについて、図１１を用いて説明する。
図１１は、第５実施形態のスクリーンを示す正面図である。
【００６４】
図１１に示すように、本実施形態のスクリーン２２は、スクリーン本体２２２と、支持部材（図示略）と、連結部２２４と、を備えている。連結部２２４は、各々が放射状に延びる複数の仮想線（図示略）の各々に沿って延び、各々がスクリーン本体２２２に連結された複数の骨部材２２５を備えている。
【００６５】
本実施形態の場合、複数の骨部材２２５の長さは、互いに等しい。複数の骨部材２２５は、一端側が互いに連結されるとともに、他端側が開閉可能とされている。これにより、スクリーン本体２２２は、複数の骨部材２２５を重ねるようにして折り畳むことができ、収納可能とされている。図１１では、スクリーン本体２２２の一部を閉じ、残りを開いた状態を示している。スクリーン本体２２２を閉じると、直線状の部材となり、スクリーン本体２２２を開くと、扇型のスクリーン２２となる。支持部材は、上記実施形態で例示したフレームや脚部から構成され、例えば最も外側の骨部材２２５と連結できるように構成されている。また、上記の構成に代えて、複数の骨部材２２５の長さは互いに等しくなくてもよく、スクリーン本体２２２の形状は扇型でなくてもよい。
【００６６】
本実施形態においても、比較的簡単な構造で画像の輝度ムラを抑制できるスクリーン２２を提供できる、画像品位に優れたプロジェクションシステムを提供できる、といった第１実施形態と同様の効果が得られる。
【００６７】
本実施形態の場合、スクリーン本体２２２が収納可能とされているため、スクリーンを使用しない場合に、大きな収納スペースを必要とすることなく、スクリーン２２を片付けることができる。
【００６８】
なお、本実施形態のスクリーン２２に代えて、以下のスクリーン２３であってもよい。
図１２は、第５実施形態の変形例のスクリーン２３の正面図である。
図１２に示すように、スクリーン２３は、スクリーン本体２２８と、支持部材（図示略）と、連結部２２６と、を備えている。連結部２２６は、各々が放射状に延びる複数の仮想線（図示略）の各々に沿って延び、各々がスクリーン本体２２８に連結された複数の骨部材２２７を備えている。
【００６９】
本変形例の場合、複数の骨部材２２７の長さは、互いに異なる。複数の骨部材２２７は、一端側が互いに連結されるとともに、他端側が開閉可能とされている。これにより、スクリーン本体２２８は、複数の骨部材２２７を一部が重なるようにして折り畳むことができ、収納可能とされている。図１２では、スクリーン本体２２８を開いた状態を示している。このように、スクリーン本体２２８を開くと、略長方形状のスクリーン２２となる。
【００７０】
本変形例においても、比較的簡単な構造で画像の輝度ムラを抑制できるスクリーン２３を提供できる、画像品位に優れたプロジェクションシステムを提供できる、といった第１実施形態と同様の効果が得られる。
【００７１】
また、上記実施形態と同様、スクリーン本体２２８が収納可能とされているため、スクリーンを使用しない場合に、大きな収納スペースを必要とすることなく、スクリーン２３を片付けることができる。また、スクリーン本体２２８の形状が略長方形状であるため、一般的な長方形の画像を投影する際に無駄な余白ができず、好適である。
【００７２】
［第６実施形態］
以下、第６実施形態のプロジェクションシステムについて、図１３を用いて説明する。
第６実施形態のプロジェクションシステムの基本構成は第１実施形態と同様であり、スクリーンを大型化した構成が第１実施形態と異なる。
図１３は、第６実施形態のプロジェクションシステムの正面図である。
図１３において、第１実施形態で用いた図面と共通の構成要素には同一の符号を付し、説明を省略する。
【００７３】
図１３に示すように、本実施形態のプロジェクションシステム２４は、スクリーン２５と、複数のプロジェクター１２と、を備えている。スクリーン２５は、スクリーン本体２５２と、フレーム２５３（支持部材）と、連結部２５４と、を備えている。
【００７４】
本実施形態では、３台のプロジェクター１２が設けられている。第１のプロジェクター１２Ａは、スクリーン本体２５２の上辺の左端寄りに設けられている。第２のプロジェクター１２Ｂは、スクリーン本体２５２の下辺の中央に設けられている。第３のプロジェクター１２Ｃは、スクリーン本体２５２の上辺の右端寄りに設けられている。
【００７５】
連結部２５４は、複数の連結部材２５５からなる第１の連結部材群２５４Ａと、複数の連結部材２５５からなる第２の連結部材群２５４Ｂと、複数の連結部材２５５からなる第３の連結部材群２５４Ｃと、を含んでいる。第１の連結部材群２５４Ａを構成する複数の連結部材２５５は、スクリーン本体２５２の上側（一方側）から下側（他方側）に向けて放射状に延びる複数の仮想線ｋに沿った位置に設けられている。第２の連結部材群２５４Ｂを構成する複数の連結部材２５５は、スクリーン本体２５２の下側（他方側）から上側（一方側）に向けて放射状に延びる複数の仮想線ｋに沿った位置に設けられている。第３の連結部材群２５４Ｃを構成する複数の連結部材２５５は、スクリーン本体２５２の上側（一方側）から下側（他方側）に向けて放射状に延びる複数の仮想線ｋに沿った位置に設けられている。すなわち、第１の連結部材群２５４Ａと第２の連結部材群２５４Ｂ、第３の連結部材群２５４Ｃと第２の連結部材群２５４Ｂ、のそれぞれは、複数の連結部材２５５が上下反転した位置に配置されている。
【００７６】
第１の連結部材群２５４Ａは、第１のプロジェクター１２Ａに対応して設けられている。第２の連結部材群２５４Ｂは、第２のプロジェクター１２Ｂに対応して設けられている。第３の連結部材群２５４Ｃは、第３のプロジェクター１２Ｃに対応して設けられている。複数の連結部材２５５の各々は、例えば第１実施形態で例示したバネ等の弾性部材から構成されている。
【００７７】
本実施形態においても、比較的簡単な構造で画像の輝度ムラを抑制できるスクリーン２５を提供できる、画像品位に優れたプロジェクションシステム２４を提供できる、といった第１実施形態と同様の効果が得られる。
【００７８】
本実施形態のスクリーン２５は、１台のプロジェクター１２に対応した連結部材群２５４Ａ〜２５４Ｃを含むスクリーン本体２５２が横方向に３つ連結された構成を有している。これにより、大面積の横長のスクリーンを備えたプロジェクションシステム２４を実現することができる。
【００７９】
［第７実施形態］
以下、第７実施形態のプロジェクションシステムについて、図１４を用いて説明する。
第７実施形態のプロジェクションシステムの基本構成は第６実施形態と同様であり、連結部材が第６実施形態と異なる。
図１４は、第７実施形態のプロジェクションシステムの正面図である。
図１４において、第６実施形態で用いた図面と共通の構成要素には同一の符号を付し、説明を省略する。
【００８０】
図１４に示すように、本実施形態のプロジェクションシステム２７は、スクリーン２８と、複数のプロジェクター１２と、を備えている。スクリーン２８は、スクリーン本体２５２と、フレーム２５３（支持部材）と、連結部２８４と、を備えている。
【００８１】
連結部２８４は、第１の連結部材群２８４Ａと、第２の連結部材群２８４Ｂと、第３の連結部材群２８４Ｃと、を含んでいる。第１〜第３の連結部材群２８４Ａ〜２８４Ｃの各々を構成する複数の連結部材２８５は、放射状に延びる複数の仮想線（図示略）に沿った位置に設けられた複数の骨部材で構成されている。
【００８２】
本実施形態においても、比較的簡単な構造で画像の輝度ムラを抑制できるスクリーン２８を提供できる、画像品位に優れたプロジェクションシステム２７を提供できる、といった第１実施形態と同様の効果が得られる。
【００８３】
また、大面積の横長のスクリーンを備えたプロジェクションシステム２７を実現できる、といった第６実施形態と同様の効果が得られる。
【００８４】
なお、本発明の技術範囲は上記実施形態に限定されるものではなく、本発明の趣旨を逸脱しない範囲において種々の変更を加えることが可能である。
例えば連結部については、異なる実施形態の構成を適宜組み合わせることが可能である。具体的には、複数の連結部の一部を例えば第１実施形態の弾性部材を備えた構成とし、複数の連結部の残りの一部を例えば第３実施形態の骨部材を備えた構成としてもよい。
【００８５】
また、上記第５実施形態およびその変形例では、スクリーン本体を折り畳むことによって収納可能とした構成を例示したが、この構成に代えて、スクリーン本体を丸めることによって収納可能としてもよい。その他、スクリーンやプロジェクションシステムを構成する各種構成部材の数、形状、配置等の具体的構成については、適宜変更が可能である。例えば支持部材がフレームや脚部の例を示したが、必ずしも独立した部材ではなく、部屋の壁等であってもよく、壁に取り付けるタイプのスクリーンに本発明を適用してもよい。
【００８６】
短焦点プロジェクターは、通常のプロジェクターに比べて、広い角度範囲で画像光を放射状に射出するため、本発明のスクリーンとの組合せが好適である。しかしながら、通常のプロジェクターの場合も、スクリーンに対して画像光を放射状に射出するため、本発明のプロジェクションシステムは、必ずしも短焦点プロジェクターを備えていなくてもよく、通常のプロジェクターと本発明のスクリーンで構成されていてもよい。
【産業上の利用可能性】
【００８７】
本発明は、スクリーンおよびプロジェクションシステムに利用が可能である。
【符号の説明】
【００８８】
１０，１４，１７，２４，２７…プロジェクションシステム、１１，１５，１８，２０，２２，２３，２５，２８…スクリーン、１２…プロジェクター、１２Ａ…第１のプロジェクター、１２Ｂ…第２のプロジェクター、１２Ｃ…第１のプロジェクター、１１２，１５２，２０２，２２２，２２８，２５２…スクリーン本体、１１３，１５３，２０３，２５３…フレーム（支持部材）、１１４，１５４，１８４，２０４，２２４，２２６，２５４，２８４…連結部、１１７…弾性部材、１８３…脚部（支持部材）、１８５，２０５，２２５，２２７…骨部材、２５４Ａ，２８４Ａ…第１の連結部材群、２５４Ｂ，２８４Ｂ…第２の連結部材群、２５４Ｃ，２８４Ｃ…第３の連結部材群、ｋ…仮想線。
【図１】
2019101228.tif 000003
【図２】
2019101228.tif 000004
【図３Ａ】
2019101228.tif 000005
【図３Ｂ】
2019101228.tif 000006
【図３Ｃ】
2019101228.tif 000007
【図４Ａ】
2019101228.tif 000008
【図４Ｂ】
2019101228.tif 000009
【図４Ｃ】
2019101228.tif 000010
【図５】
2019101228.tif 000011
【図６】
2019101228.tif 000012
【図７】
2019101228.tif 000013
【図８】
2019101228.tif 000014
【図９】
2019101228.tif 000015
【図１０】
2019101228.tif 000016
【図１１】
2019101228.tif 000017
【図１２】
2019101228.tif 000018
【図１３】
2019101228.tif 000019
【図１４】
2019101228.tif 000020
【図１５】
2019101228.tif 000021
【図１６】
2019101228.tif 000022